(57)【要約】      （修正有）【課題】物流上の経路の中で、ＩＤタグの貼付が困難な対象への付与、物品の性質上あるいは流通の都合上、離散、集合、混合、入替する対象へのＩＤ付与が不可欠となる。【解決手段】物品の容器等に、ロット毎に付与された固有のＩＤを有するＩＤタグをリーダから読み込み、サーバで格納し、ロットからロット上のＩＤタグを読み込みながら、グローブのＩＤタグを別途読取り関連付け、また同物品を別のＩＤタグの貼付されたロットへ移管する際に、ＩＤタグを読み取り、元のロットのＩＤと新たなロットのＩＤ及び移管した数量をサーバ上で関連付け、ＩＤとは異なる体系で一意的となる数、記号、或いはＵＲＬなどその組み合わせや図表などをサーバ側でＩＤと関連付けて生成し、インクジェット印字、ラベル、ＰＯＰなどで作成、或いはメモリー付きタグへ書込み或いは読込のみのＩＤタグへサーバ或いは他のサーバ上で、ロット数やロット状態の変化とともに関連付ける。【選択図】        図１
2005008297.tif 000002
【特許請求の範囲】
【請求項１】
物品を一つ以上のロットとして流通させる上で、ＩＤタグを貼付する事が困難な形状などを有する物品や、小分けされ元のロット以上に分かれる或いは集められ元のロット以下になる或いは他のロット扱いのもの同士で新たなロットを形成する場合に、物品の容器等に、ロット毎に付与された固有のＩＤを有するＩＤタグをリーダから読み込み、サーバで格納し、例えばグローブに他のＩＤを有するＩＤタグを付加し、前記ロットから前記ロット上のＩＤタグを読み込みながら、前記ロット内の物品を取り出す毎に、前記グローブのＩＤタグを別途読取り関連付け、また同物品を別のＩＤタグの貼付されたロットへ移管する際に、前記ＩＤタグを読み取り、元のロットのＩＤと新たなロットのＩＤ及び移管した数量をサーバ上で関連付け、或いは、固有のＩＤを有するＩＤタグをリーダから読み込み、サーバで格納し、前記ロットから物品を分ける或いは合わせる又は別の物品との混合することでロットが増減する際に、或いは別の容器等に入れ替える際に、前記ＩＤとは異なる体系で一意的となる数、記号、或いはＵＲＬなどその組み合わせや図表などをサーバ側で前記ＩＤと関連付けて生成し、インクジェット印字、ラベル、ＰＯＰなどで作成、或いはメモリー付きタグへ書込み或いは読込のみのＩＤタグへ前記サーバ或いは他のサーバ上で、ロット数やロット状態の変化とともに関連付けることを特徴とするデータベース。
【請求項２】
物品を一つ以上のロットとして流通させる上で、ＩＤタグを貼付する事が困難な形状などを有する物品や、小分けされ元のロット以上に分かれる或いは集められ元のロット以下になる或いは他のロット扱いのもの同士で新たなロットを形成する場合に、物品の容器等に、ロット毎に付与された固有のＩＤを有するＩＤタグをリーダから読み込み、サーバで格納し、例えばグローブに他のＩＤを有するＩＤタグを付加し、前記ロットから前記ロット上のＩＤタグを読み込みながら、前記ロット内の物品を取り出す毎に、前記グローブのＩＤタグを別途読取り関連付け、また同物品を別のＩＤタグの貼付されたロットへ移管する際に、前記ＩＤタグを読み取り、元のロットのＩＤと新たなロットのＩＤ及び移管した数量をサーバ上で関連付け、或いは、固有のＩＤを有するＩＤタグをリーダから読み込み、サーバで格納し、前記ロットから物品を分ける或いは合わせる又は別の物品との混合することでロットが増減する際に、或いは別の容器等に入れ替える際に、前記ＩＤとは異なる体系で一意的となる数、記号、或いはＵＲＬなどその組み合わせや図表などをサーバ側で前記ＩＤと関連付けて生成し、インクジェット印字、ラベル、ＰＯＰなどで作成、或いはメモリー付きタグへ書込み或いは読込のみのＩＤタグへ前記サーバ或いは他のサーバ上でロット数やロット状態の変化とともに関連付けることを特徴とするシステム。
【請求項３】
物品を一つ以上のロットとして流通させる上で、ＩＤタグを貼付する事が困難な形状などを有する物品や、小分けされ元のロット以上に分かれる或いは集められ元のロット以下になる或いは他のロット扱いのもの同士で新たなロットを形成する場合に、物品の容器等に、ロット毎に付与された固有のＩＤを有するＩＤタグをリーダから読み込み、サーバで格納し、例えばグローブに他のＩＤを有するＩＤタグを付加し、前記ロットから前記ロット上のＩＤタグを読み込みながら、前記ロット内の物品を取り出す毎に、前記グローブのＩＤタグを別途読取り関連付け、また同物品を別のＩＤタグの貼付されたロットへ移管する際に、前記ＩＤタグを読み取り、元のロットのＩＤと新たなロットのＩＤ及び移管した数量をサーバ上で関連付け、或いは、固有のＩＤを有するＩＤタグをリーダから読み込み、サーバで格納し、前記ロットから物品を分ける或いは合わせる又は別の物品との混合することでロットが増減する際に、或いは別の容器等に入れ替える際に、前記ＩＤとは異なる体系で一意的となる数、記号、或いはＵＲＬなどその組み合わせや図表などをサーバ側で前記ＩＤと関連付けて生成し、インクジェット印字、ラベル、ＰＯＰなどで作成、或いはメモリー付きタグへ書込み或いは読込のみのＩＤタグへ前記サーバ或いは他のサーバ上でロット数やロット状態の変化とともに関連付ける画面を表示させることを特徴とするシステム。
【請求項４】
前記ＩＤタグのＩＤ以外のＩＤを前記サーバへ記録して、後から当該ロットへＩＤタグ固有のＩＤへ関連付けることを特徴とする請求項２または３に記載のシステム。
【請求項５】
ロット状態の変化として、ＩＤタグに温度記録機能及びロット数から積算される温度、（例えば１のロットがｎとなった場合にｎに貼付されたＩＤタグの温度記録をｎ倍した熱量）を計測及び記録可能としたことを特徴とする請求項２乃至４のいずれかに記載のシステム。
【請求項６】
前記ＩＤタグとの関連付けについての記憶データを、元のサーバと他のサーバ間で、一部或いは全部を共有することを特徴とする請求項２乃至５のいずれかに記載のシステム。
【請求項７】
前記ＩＤタグとの関連付けで、顧客ＩＤや店舗ＩＤなど、一意的に検索を容易にするために、新たにＩＤタグとの関連付けをサーバ上で整列させることを特徴とする請求項２乃至６のいずれかに記載のシステム。
【請求項８】
前記ＩＤタグが演算機能を有する場合、ＩＤ間の関連付け処理をＩＤタグ側に行なわせ、読み取り端末をサーバとして機能させることを特徴とする請求項２乃至７のいずれかに記載のシステム。
【発明の詳細な説明】
【０００１】
【発明の属する技術分野】
本発明は、ＩＤタグを媒介としたＩＤ変換のためのデータベース、及びシステムに関する。
【０００２】
【従来の技術】
一般に、経済活動においては、農産物、水産物、これらの加工品、工業製品等の供給者（以下、「生産業者」という。）と、このような物品を仕入れて販売する販売業者又は物品を購入する消費者との間に、物品の適切な仕分け、輸送、保管等に携わる流通業者が介在する。近年、市場に出回る物品の多様性に応じて、この物品に係る物流の専門性が高まっている。例えば、食品を冷凍状態で陸上運輸、空中輸送、一時保管等する場合、この食品は、冷凍コンテナ業者、トラック業者、冷凍庫を所有する倉庫業者といった、それぞれの業務に専門性を有する複数の流通業者の手を経る可能性がある。物品が生産業者から販売業者又は消費者に届くまでに、多くの流通業者の手を経ることが少なくない。
【０００３】
販売業者や消費者にとって、手元に届けられた物品が、彼等の知る生産業者から然るべき流通業者の手を経て供給されたものであるか否かを、物品毎に実際に追跡して確認することは困難であり、現実的ではない。
【０００４】
流通業者の誤配や未納品といったミスを効率的に発見することに関しては、物品に電子タグを貼付して、これに物流情報を記録するシステムが開示されている（例えば、特許文献１参照。）。この開示によれば、物流における上流側事業者が物品情報を記録したタグを貼付した物品を出荷し、下流側事業者がこれを受領する。この時、下流側事業者は、タグの情報を確認後に、受領サインとしての識別コード等をタグに書き込んで、このタグのみを上流側事業者に回送する。これによって、物品が、物流の上流から下流に流れたことが確認できるが、このような確認は、やはり、物品の出荷者と受領者とが二重チェックする手間及び相互の信頼関係によって可能となっている。
【０００５】
一方、一般に、ＰＯＳなどでも、大根のような物品や卵一つづつにはバーコードの貼付が困難なため、別段の入力や印字が行なわれている。これらの管理は、別途入力を要する。また、バーコード以外でも既存に流通しているシリアルコード、二次元コード、ＩＰＶ．４、ＩＰＶ．６間で形式上或いはデータリソース上、ＩＤのやり取りが大変困難になっている。
【０００６】
【特許文献１】
特開２００２−８７５３２号公報
【０００７】
【発明が解決しようとする課題】
現実の物流上様々な物品や経路の中で、半導体などのＩＤタグの貼付が物理的に困難な対象へのＩＤ付与、及び物品の性質上或いは流通の都合上、離散、集合、混合、入替する対象へのＩＤ付与が不可欠となる。
【０００８】
【課題を解決するための手段】
前記課題を解決するため、次の手段を提供する。
物品を一つ以上のロットとして流通させる上で、ＩＤタグを貼付する事が困難な形状などを有する物品や、小分けされ元のロット以上に分かれる或いは集められ元のロット以下になる或いは他のロット扱いのもの同士で新たなロットを形成する場合に、物品の容器等に、ロット毎に付与された固有のＩＤを有するＩＤタグをリーダから読み込み、サーバで格納し、例えばグローブに他のＩＤを有するＩＤタグを付加し、前記ロットから前記ロット上のＩＤタグを読み込みながら、前記ロット内の物品を取り出す毎に、前記グローブのＩＤタグを別途読取り関連付け、また同物品を別のＩＤタグの貼付されたロットへ移管する際に、前記ＩＤタグを読み取り、元のロットのＩＤと新たなロットのＩＤ及び移管した数量をサーバ上で関連付け、或いは、固有のＩＤを有するＩＤタグをリーダから読み込み、サーバで格納し、前記ロットから物品を分ける或いは合わせる又は別の物品との混合することでロットが増減する際に、或いは別の容器等に入れ替える際に、前記ＩＤとは異なる体系で一意的となる数、記号、或いはＵＲＬなどその組み合わせや図表などをサーバ側で前記ＩＤと関連付けて生成し、インクジェット印字、ラベル、ＰＯＰなどで作成、或いはメモリー付きタグへ書込み或いは読込のみのＩＤタグへ前記サーバ或いは他のサーバ上で、ロット数やロット状態の変化とともに関連付けるデータベースを提供する。
【０００９】
物品を一つ以上のロットとして流通させる上で、ＩＤタグを貼付する事が困難な形状などを有する物品や、小分けされ元のロット以上に分かれる或いは集められ元のロット以下になる或いは他のロット扱いのもの同士で新たなロットを形成する場合に、物品の容器等に、ロット毎に付与された固有のＩＤを有するＩＤタグをリーダから読み込み、サーバで格納し、例えばグローブに他のＩＤを有するＩＤタグを付加し、前記ロットから前記ロット上のＩＤタグを読み込みながら、前記ロット内の物品を取り出す毎に、前記グローブのＩＤタグを別途読取り関連付け、また同物品を別のＩＤタグの貼付されたロットへ移管する際に、前記ＩＤタグを読み取り、元のロットのＩＤと新たなロットのＩＤ及び移管した数量をサーバ上で関連付け、或いは、固有のＩＤを有するＩＤタグをリーダから読み込み、サーバで格納し、前記ロットから物品を分ける或いは合わせる又は別の物品との混合することでロットが増減する際に、或いは別の容器等に入れ替える際に、前記ＩＤとは異なる体系で一意的となる数、記号、或いはＵＲＬなどその組み合わせや図表などをサーバ側で前記ＩＤと関連付けて生成し、インクジェット印字、ラベル、ＰＯＰなどで作成、或いはメモリー付きタグへ書込み或いは読込のみのＩＤタグへ前記サーバ或いは他のサーバ上でロット数やロット状態の変化とともに関連付けるシステムである。
【００１０】
物品を一つ以上のロットとして流通させる上で、ＩＤタグを貼付する事が困難な形状などを有する物品や、小分けされ元のロット以上に分かれる或いは集められ元のロット以下になる或いは他のロット扱いのもの同士で新たなロットを形成する場合に、物品の容器等に、ロット毎に付与された固有のＩＤを有するＩＤタグをリーダから読み込み、サーバで格納し、例えばグローブに他のＩＤを有するＩＤタグを付加し、前記ロットから前記ロット上のＩＤタグを読み込みながら、前記ロット内の物品を取り出す毎に、前記グローブのＩＤタグを別途読取り関連付け、また同物品を別のＩＤタグの貼付されたロットへ移管する際に、前記ＩＤタグを読み取り、元のロットのＩＤと新たなロットのＩＤ及び移管した数量をサーバ上で関連付け、或いは、固有のＩＤを有するＩＤタグをリーダから読み込み、サーバで格納し、前記ロットから物品を分ける或いは合わせる又は別の物品との混合することでロットが増減する際に、或いは別の容器等に入れ替える際に、前記ＩＤとは異なる体系で一意的となる数、記号、或いはＵＲＬなどその組み合わせや図表などをサーバ側で前記ＩＤと関連付けて生成し、インクジェット印字、ラベル、ＰＯＰなどで作成、或いはメモリー付きタグへ書込み或いは読込のみのＩＤタグへ前記サーバ或いは他のサーバ上でロット数やロット状態の変化とともに関連付ける表示画面を有する。
【００１１】
ロット状態の変化として、ＩＤタグに温度記録機能及びロット数から積算される温度、（例えば１のロットがｎとなった場合にｎに貼付されたＩＤタグの温度記録をｎ倍した熱量）を計測及び記録可能とする。
【００１２】
前記ＩＤタグとの関連付けについての記憶データを、元のサーバと他のサーバ間で、一部或いは全部を共有する。
【００１３】
前記ＩＤタグとの関連付けで、顧客ＩＤや店舗ＩＤなど、一意的に検索を容易にするために、新たにＩＤタグとの関連付けをサーバ上で整列させる。
【００１４】
前記ＩＤタグが演算機能を有する場合、ＩＤ間の関連付け処理をＩＤタグ側に行なわせ、読み取り端末を、サーバとして機能させる。
【００１５】
【発明の実施の形態】
物品を一つ以上のロットとして流通させる上で、ＩＤタグを貼付する事が困難な形状などを有する物品や、小分けされ元のロット以上に分かれる或いは集められ元のロット以下になる或いは他のロット扱いのもの同士で新たなロットを形成する場合に、物品の容器等に、ロット毎に付与された固有のＩＤを有するＩＤタグをリーダから読み込む。
【００１６】
上記データをサーバで格納し、例えばグローブに他のＩＤを有するＩＤタグを付加し、前記ロットから前記ロット上のＩＤタグを読み込みながら、前記ロット内の物品を取り出す毎に、前記グローブのＩＤタグを別途読取り関連付ける。
【００１７】
また同物品を別のＩＤタグの貼付されたロットへ移管する際に、前記ＩＤタグを読み取り、元のロットのＩＤと新たなロットのＩＤ及び移管した数量をサーバ上で関連付ける。
【００１８】
或いは、固有のＩＤを有するＩＤタグをリーダから読み込み、サーバで格納し、前記ロットから物品を分ける或いは合わせる又は別の物品との混合することでロットが増減する際に、或いは別の容器等に入れ替える際に、前記ＩＤとは異なる体系で一意的となる数、記号、或いはＵＲＬなどその組み合わせや図表などをサーバ側で前記ＩＤと関連付けて生成する。
【００１９】
上記生成した内容を、インクジェット印字、ラベル、ＰＯＰなどで作成、或いはメモリー付きタグへ書込み或いは読込のみのＩＤタグへ前記サーバ或いは他のサーバ上でロット数やロット状態の変化とともに関連付ける。
【００２０】
【発明の効果】
本発明では、ＩＤタグの固有ＩＤを、サーバ上或いはタグのメモリー部で、インクジェット印字、シール、他種のＩＤタグ等の識別子との間で、新たな形式でＩＤを付与し、対象物の性質上の問題や梱包、小分けにより対象物のロット変化に対して選択可能な仕様を提供できる。
【図面の簡単な説明】
【図１】ＩＤの貼付を略するシステムの概要図である。
【図２】他のＩＤとの媒介システムの概要図である。
【図３】図１のシステムのフローダイアグラムを示す図である。
【図４】図２のシステムのフローダイアグラムを示す図である。
【図５】図１のシステムに対する情報表示画面の例を示す模式図である。
【図６】図２のシステムに対する情報表示画面の例を示す模式図である。
【図７】図１のシステムに対するデータベース内のデータモデルを示す模式図である。
【図８】図２のシステムに対するデータベース内のデータモデルを示す模式図である。
【図１】
2005008297.tif 000003
【図２】
2005008297.tif 000004
【図３】
2005008297.tif 000005
【図４】
2005008297.tif 000006
【図５】
2005008297.tif 000007
【図６】
2005008297.tif 000008
【図７】
2005008297.tif 000009
【図８】
2005008297.tif 000010